(57)【要約】      （修正有）【課題】ボーカル用のマイクロホンヘッドおよびマイクロホンにおける風雑音を低コストで軽減するマイクロホンを提供する。【解決手段】マイクロホンヘッド２０は、振動板４２を有するマイクカプセル２６と、振動板４２の対向して配置され、複数の開口を形成する金属製メッシュで構成され、開口の入口側に、振動板４２に向かう気流を受けて気流を振動板４２の振動方向に対して一定の傾斜方向に誘導する傾斜面が設けられたプロテクター２７とを具備する。【選択図】図３
2017092883.tif 000002
【特許請求の範囲】
【請求項１】
振動板を有するマイクカプセルと、
前記振動板の対向して配置され、複数の開口部を有する金属製メッシュで構成され、前記開口部に、前記振動板に向かう気流を受けて該気流を前記振動板の振動方向に対して一定の傾斜方向に誘導する傾斜面が設けられたプロテクターと
を具備するマイクロホンヘッド。
【請求項２】
請求項１に記載のマイクロホンヘッドであって、
少なくとも前記マイクカプセルおよび前記プロテクターを収容するカップ状のゲージを有し、前記プロテクターが、前記ゲージの頂上部と前記振動板との間に配置される
マイクロホンヘッド。
【請求項３】
請求項２に記載のマイクロホンヘッドであって、
前記プロテクターは、略矩形断面を有し、各々波形に成形された複数の金属線材同士の前記波形の山の位置と谷の位置とが重ね合うように互いにずらして接合されて構成された
マイクロホンヘッド。
【請求項４】
ハンドル部と、前記ハンドル部に着脱自在なマイクロホンヘッドとを具備し、
マイクロホンヘッドは、
振動板を有するマイクカプセルと、
前記振動板の対向して配置され、複数の開口部を有する金属製メッシュで構成され、前記開口部に、前記振動板に向かう気流を受けて該気流を前記振動板の振動方向に対して一定の傾斜方向に誘導する傾斜面が設けられたプロテクターと
を具備するマイクロホン。
【発明の詳細な説明】
【技術分野】
【０００１】
本技術は、ボーカル用のマイクロホンヘッドおよびマイクロホンに関する。
【背景技術】
【０００２】
主にボーカル用として用いられるマイクロホンとしてコンデンサマイクロホン、ダイナミックマイクロホンなどが知られている。この種のマイクロホンでは、使用者より息などが吹きかけられたときマイクカプセル内の振動板が大きく振動し、風雑音が発生することがある。
【０００３】
風雑音を防止する技術として、例えば、特許文献１に記載されているようなものがある。特許文献１には、振動膜の前に第１の金属メッシュスクリーンを配置し、さらに第１の金属メッシュスクリーンの前に第２の金属メッシュスクリーンを配置した二重のスクリーン構成を用いたものである。特許文献１では、振動膜と第１の金属メッシュスクリーンとの距離と、第１の金属メッシュスクリーンと第２の金属メッシュスクリーンとの選定次第で、マイクロホンの音響特性を損うことなく風雑音を軽減できることを謳っている。
【０００４】
また、金属メッシュではなくポリアミド系繊維からなるメッシュを風雑音の対策に用いる技術も知られている（特許文献２参照）。
【先行技術文献】
【特許文献】
【０００５】
【特許文献１】特開昭５９−６２２９４号公報（第２頁左下欄−右下欄、第４図）
【特許文献２】特開２００９−２６７７２１号公報（段落［００１７］）
【発明の概要】
【発明が解決しようとする課題】
【０００６】
主にボーカル用やスピーチ用として用いられるためハンディ型のマイクロホンでは音雑音の対策が要求される。音雑音の対策には様々なものが提案されてきたが、音雑音の低減効果、コスト、耐久性、その他、様々な面での改善化が望まれている。
【０００７】
以上のような事情に鑑み、本技術の目的は、主にボーカル用のマイクロホンヘッドおよびマイクロホンにおける風雑音を低コストで軽減することにある。
【課題を解決するための手段】
【０００８】
上記の課題を解決するために、本技術に係る一形態のマイクロホンヘッドは、
振動板を有するマイクカプセルと、
前記振動板の対向して配置され、複数の開口部を有する金属製メッシュで構成され、前記開口部に、前記振動板に向かう気流を受けて該気流を前記振動板の振動方向に対して一定の傾斜方向に誘導する傾斜面が設けられたプロテクターと
を具備する。
【０００９】
本技術に係るマイクロホンヘッドでは、金属製メッシュで構成されるプロテクターの各々の開口部に設けられた傾斜面が前記振動板に向かう気流を受けて該気流を前記振動板の振動方向に対して一定の傾斜方向に誘導する。これにより、振動板の面に振動板の振動方向に対して斜め方向から風圧が加わるので、息が吹きつけられた際の振動板の振動を軽減することができ、風雑音のレベルを引き下げることができる。
また、金属製メッシュで構成された一体のプロテクターを追加するだけでよいので、低コストでボーカル用のマイクロホンの風雑音対策をとることができる。
【００１０】
本技術に係るマイクロホンヘッドは、少なくとも前記マイクカプセルおよび前記プロテクターを収容するカップ状のゲージを有し、前記プロテクターが、前記ゲージの頂上部と前記振動板との間に配置されるものであってよい。
【００１１】
さらに、前記プロテクターは、略矩形断面を有し、各々波形に成形された複数の金属線材同士の前記波形の山の位置と谷の位置とが重ね合うように互いにずらして接合されて構成されたものであってよい。
これにより、一様な傾斜面を有するプロテクターが低コストで構成され、低コストでボーカル用のマイクロホンの風雑音対策をとることができる。
【００１２】
本技術に係るマイクロホンは、ハンドル部と、前記ハンドル部に着脱自在なマイクロホンヘッドとを具備し、
マイクロホンヘッドは、
振動板を有するマイクカプセルと、
前記振動板の対向して配置され、複数の開口を形成する金属製メッシュで構成され、前記開口部に、前記振動板に向かう気流を受けて該気流を前記振動板の振動方向に対して一定の傾斜方向に誘導する傾斜面が設けられたプロテクターと
を具備するものである。
【発明の効果】
【００１３】
以上のように、本技術によれば、主にボーカル用のマイクロホンヘッドおよびマイクロホンにおける風雑音を低コストで軽減することができる。
【図面の簡単な説明】
【００１４】
【図１】本技術に係る第１の実施形態のマイクロホン１の構成を示す正面図である。
【図２】図１のマイクロホン１におけるマイクロホンヘッド２０の構成を分解して示す分解斜視図である。
【図３】図２のマイクロホンヘッド２０の断面図である。
【図４】図３のマイクロホンヘッド２０におけるプロテクター２７の一部を拡大した斜視図である。
【図５】図４のプロテクター２７のＡ−Ａ断面図である。
【図６】図４のプロテクター２７の拡大断面図である。
【発明を実施するための形態】
【００１５】
以下、本技術に係る実施形態を、図面を参照しながら説明する。
＜第１の実施形態＞
［マイクロホン１の構成］
図１は、本技術に係る第１の実施形態のマイクロホン１の構成を示す正面図である。
同図に示すように、本実施形態のマイクロホン１は、ボーカル用のコンデンサ型マイクロホンである。このマイクロホン１は、ハンドル部１０と、ハンドル部１０に着脱自在なマイクロホンヘッド２０とを備える。
【００１６】
ハンドル部１０は、ユーザの手によって握られる部分である円筒状の金属性筐体１１を有する。ハンドル部１０の金属性筐体１１の一端には、マイクロホンヘッド２０の一端に設けられた被装着部２１が装着されるヘッド装着凹部１２が設けられる。ハンドル部１０のヘッド装着凹部１２の内周面にはスクリュー状の雌ネジが設けられる。一方、マイクロホンヘッド２０の円筒状の被装着部２１の外周には、ハンドル部１０のヘッド装着凹部１２の内周面に設けられたスクリュー状の雌ネジと螺合するスクリュー状の雄ネジが設けられる。これにより、マイクロホンヘッド２０の被装着部２１をハンドル部１０の一端に設けられたヘッド装着凹部１２に嵌め込み、時計回り方向に回すことによって、ハンドル部１０のヘッド装着凹部１２にマイクロホンヘッド２０が装着される。また、ハンドル部１０のヘッド装着凹部１２に装着されたマイクロホンヘッド２０を反時計回り方向に回すことによって、ハンドル部１０のヘッド装着凹部１２からマイクロホンヘッド２０を離脱させることができる。
【００１７】
［マイクロホンヘッド２０の構成］
図２はマイクロホンヘッド２０の構成を分解して示す分解斜視図、図３は図２のマイクロホンヘッド２０の断面図である。
【００１８】
これらの図に示すように、マイクロホンヘッド２０は、下ケージ２２、上ケージ２３、カプセルベース２４、複数の支柱２５、マイクカプセル２６、プロテクター２７およびプリント配線基板２８などを備える。
【００１９】
下ケージ２２は、ハンドル部１０のヘッド装着凹部１２に嵌め込まれる被装着部２１を有する金属製の下ゲージ筐体３１と、下ケージ連結部３２と、下ゲージ筐体３１と下ケージ連結部３２との間に保持された下ガードネット３３とで構成される。
【００２０】
上ケージ２３は、下ケージ２２の下ケージ連結部３２と連結される上ケージ連結部３４と、上ケージ連結部３４に固定された上ガードネット３５とを備える。上記の下ケージ２２と上ケージ２３は、下ケージ連結部３２と上ケージ連結部３４によって互いに連結され、マイクロホンヘッド２０の外装を構成する。マイクロホンヘッド２０内には、カプセルベース２４、複数の支柱２５、マイクカプセル２６、プロテクター２７およびプリント配線基板２８などが配置される。
【００２１】
下ケージ２２の外周には下ガードネット３３を保持するガードネット保持部３６が設けられる。下ケージ２２の内周面には、カプセルベース２４を保持するベース保持部３７と、プリント配線基板２８をリング４５を挟んで支持するための基板支持部４６が設けられる。ベース保持部３７は、下ケージ２２の内周面から突出したベース受け部３７ａと、ベース受け部３７ａより上方の下ケージ２２の内周面３７ｂとでカプセルベース２４の下部円筒部の外周面を保持する。
【００２２】
カプセルベース２４は、マイクカプセル２６を複数の支柱２５と複数の制振部材３９を介して支持する。カプセルベース２４は下部円筒部２４ａと上部円筒部２４ｂとを有する。カプセルベース２４の下部円筒部２４ａは下ケージ２２のベース保持部３７によって外周面が保持される部分である。上部円筒部２４ｂの上端部にはフランジ部２４ｃが設けられる。フランジ部２４ｃには複数の支柱２５を固定するための第１の止めネジ４０が螺入される複数のネジ穴２４ｄが設けられる。
【００２３】
フランジ部２４ｃの上には制振部材３９であるワッシャーを挟んで複数の支柱２５が載せられる。支柱２５の下部には、支柱２５の一端部をカプセルベース２４のフランジ部２４ｃに連結させるための第１の止めネジ４０が螺入される下部ネジ孔２５ａが支柱２５の軸方向に沿って設けられる。第１の止めネジ４０は、フランジ部２４ｃの下面側よりフランジ部２４ｃのネジ穴２４ｄおよび制振部材３９の穴を通して支柱２５の下部ネジ孔２５ａに螺入される。このようにして支柱２５の一端が第１の止めネジ４０によってカプセルベース２４のフランジ部２４ｃと連結される。
【００２４】
各支柱２５の上端部には上部ネジ孔２５ｂが支柱２５の軸方向に沿って設けられる。この上部ネジ孔２５ｂはマイクカプセル２６側に開口する。上部ネジ孔２５ｂには開口より第２の止めネジ４１が、支柱２５の上端面より突出させた状態で螺入される。そして第２の止めネジ４１の支柱２５上端面から突出した部分がマイクカプセル２６のネジ孔２６ａに螺入される。
【００２５】
マイクカプセル２６は、筒形を有し、最上部にはコンデンサ型マイクロホンにおける固定電極である振動板（ダイヤフラム）４２の外縁部を保持する振動板保持部２６ｂが設けられる。マイクカプセル２６の下部には、上記の第２の止めネジ４１の支柱２５上端面から突出した部分を受けるネジ孔２６ａを有する支柱受け部２６ｃが設けられる。すなわち、マイクカプセル２６は、複数の支柱２５および制振部材３９であるワッシャーを介してカプセルベース２４に支持される。マイクカプセル２６内には固定電極４３が絶縁支持体４４を介して固定される。
【００２６】
ここで、支柱２５は、低ヤング率、低密度の材料からなる。低ヤング率、低密度の材料からなる複数の支柱２５によりマイクカプセル２６が支持されることで、マイクロホン１を通して得られる音質にいわゆる「ふくよかさ」、「厚み」を与えることができる。また、支柱２５は制振部材３９であるワッシャーを挟んでカプセルベース２４のフランジ部２４ｃに支持されることで、マイクロホン１を通して得られる音声からいわゆる「濁り」、「クセ」などを抑制する効果が期待できる。
【００２７】
プリント配線基板２８は、下ケージ２２の内周面に突出して設けられた基板支持部４６にリング４５を介して支持される。プリント配線基板２８は上記のマイクカプセル２６内の固定電極４３と配線４７を通じて電気的に接続される。プリント配線基板２８には、可動電極である振動板（ダイヤフラム）４２と固定電極４３との間の電圧を検出する回路、インピーダンス変換用の回路などの集積回路２８ａ、２８ｂなどが実装される。
【００２８】
上ケージ２３の上ガードネット３５内にはプロテクター２７が配置される。プロテクター２７は、例えばステンレスなどの金属製メッシュで構成され、厚さ方向に貫通する多数の開口部２７ｃを有する部材である。プロテクター２７は、カップ状の上ガードネット３５の頂天部３５ａとマイクカプセル２６の振動板４２との間に振動板４２の振動面に対向して配置される。なお、プロテクター２７は、例えば、上ガードネット３５の内側面に、たとえば溶接等により固着される。
【００２９】
［プロテクター２７の構成］
図４はプロテクター２７の一部を拡大した斜視図、図５はプロテクター２７の部分的な断面図（図４のＡ−Ａ断面図）である。
これらの図に示すように、プロテクター２７は、例えば、略矩形断面を有し、各々波形に成形された複数の金属線材２７ａ同士を互いの波形の山の位置と谷の位置とが重なり合うように互いに位置をずらして接合することによって製作された金属製メッシュなどで構成される。
【００３０】
図５に示すように、プロテクター２７の断面を見ると、プロテクター２７の各々の開口部２７ｃの図中上端に振動板４２の振動方向に対して傾斜した面５１ができる。つまり、互いの波形の山の位置と谷の位置とを重ね合わせて接合された各々の金属線材２７ａが斜めに傾いた姿勢で組み合わされることで金属線材２７ａの表面が上記のように振動板４２の振動方向に対して傾斜した面５１となる。
【００３１】
このような構成を有するプロテクター２７の各々の開口部２７ｃ周囲に存在する一部の傾斜面５１は、外から振動板４２に向けて入ってきた気流の一部を、振動板４２の振動方向に対して一定の傾斜方向に誘導する。外から振動板４２に向けて入ってきた気流の一部を振動板４２の振動方向に対して一定の傾斜方向に誘導することによって、振動板４２に振動板４２の振動方向に対して斜めに風圧が加わる。これにより、マイクロホンヘッド２０に使用者の息が吹きつけられた場合の振動板４２の振動を軽減することができ、風雑音のレベルを引き下げることができる。
【００３２】
次に、図６を参照して、外から振動板４２に向けて入ってきた気流の少なくとも一部を振動板４２の振動方向に対して一定の傾斜方向に誘導するプロテクター２７の開口部２７ｃ周囲の傾斜面５１、５２について説明する。
【００３３】
図６において、気流を振動板４２の振動方向に対して傾斜した方向に有意に誘導する傾斜面５１とは、主に図中上側の２つの傾斜面５１である。これらの傾斜面５１は、プロテクター２７の開口部２７ｃの図中上端側に設けられる。この場合、プロテクター２７の開口部２７ｃに入ってきた気流の一部Ｆ１、Ｆ２は傾斜面５１によって図中斜め下に誘導される。傾斜面５１に当たらない位置から開口部２７ｃに入ってきた気流Ｆ３も、傾斜面５１によって図中斜め下に誘導されてきた気流Ｆ１、Ｆ２に巻き込まれて図中斜め下に誘導される。これによりプロテクター２７の後流側の領域内での全体的な気流の向きは図中斜め下向きとなり、振動板４２の面に振動板４２の振動方向に対して図中斜めから風圧が加わる。この結果、マイクロホンヘッド２０に息が吹きつけられた際の振動板４２の振動を軽減することができ、風雑音のレベルを引き下げることができる。
【００３４】
一方、図中下側の傾斜面５２は、図中上側の傾斜面５１とは傾斜の向きが反対であるが、この図中下側の傾斜面５２の振動板４２の振動方向に対する傾斜角度は直角に近いので気流の誘導にはあまり寄与しない。そのため、図中下側の傾斜面５２によって誘導された気流が図中上側の２つの傾斜面５１による気流の誘導に余計な乱れを与えることがない。
【００３５】
なお、図６の上下はマイクロホン１における特定の向きを示すものではない。すなわち、本技術においては、気流を振動板４２の振動方向に対して傾斜した方向に有意に誘導する傾斜面５１の向きが、振動板４２の振動方向に対して一定の傾斜方向であることに意味があるからである。
【００３６】
傾斜面５１の振動板４２の振動方向に対する傾斜角度を２３度、プロテクター２７の開口率を４３％としたプロテクター２７を搭載したマイクロホン１について、一定の速度の気流を拭きつけてマイクロホン１から出力される音に含まれるポップノイズを測定したところ、プロテクター２７を搭載しないマイクロホンに比べてポップノイズをおよそ３ｄＢ（約３０％）低減することができた。
【００３７】
なお、傾斜面５１の振動板４２の振動方向に対する理想的な傾斜角度は、上記検証のために選ばれた２３度から前後に例えば５度程度の範囲である。
【００３８】
典型的な風雑音対策として、ゲージ内にウレタン樹脂や音響抵抗素材を配置する方法があるが、これらの素材は音に対してローパスフィルターとして働き、音質に影響するという弊害がある。本実施形態では、金属性メッシュからなるプロテクター２７の採用により音響特性に影響を与えることなく風雑音の低減効果が得られる。
【００３９】
本技術は、撮像装置単体で実施されることに限定されるものではなく、特許請求の範囲に記載される本技術の技術的思想の範囲で様々に変形して利用することができる。
【００４０】
＜変形例１＞
本技術は、上記実施形態で述べたコンデンサ型マイクロホンのみならず、その他の型式、例えばダイナミック型マイクロホンにも応用することができる。
【００４１】
上記の実施形態では、プロテクターとして金属製メッシュを用いたが、本技術は、金属製メッシュに限らず、金属製メッシュと同等の開口率を有する別の素材によるプロテクターを採用してもよい。
【００４２】
本技術は以下のような構成もとることができる。
（１）振動板を有するマイクカプセルと、
前記振動板の対向して配置され、複数の開口部を有する金属製メッシュで構成され、前記開口部に、前記振動板に向かう気流を受けて該気流を前記振動板の振動方向に対して一定の傾斜方向に誘導する傾斜面が設けられたプロテクターと
を具備するマイクロホンヘッド。
【００４３】
（２）上記（１）のマイクロホンヘッドであって、
少なくとも前記マイクカプセルおよび前記プロテクターを収容するカップ状のゲージを有し、前記プロテクターが、前記ゲージの頂上部と前記振動板との間に配置される
マイクロホンヘッド。
【００４４】
（３）上記（１）または（２）のマイクロホンヘッドであって、
前記プロテクターは、略矩形断面を有し、各々波形に成形された複数の金属線材同士の前記波形の山の位置と谷の位置とが重ね合うように互いにずらして接合されて構成された
マイクロホンヘッド。
【符号の説明】
【００４５】
１…マイクロホン
１０…ハンドル部
２０…マイクロホンヘッド
２２…下ケージ
２３…上ケージ
２４…カプセルベース
２６…マイクカプセル
２７…プロテクター
２７ａ…金属線材
２７ｃ…開口部
４２…振動板
５１…傾斜面
【図１】
2017092883.tif 000003
【図２】
2017092883.tif 000004
【図３】
2017092883.tif 000005
【図４】
2017092883.tif 000006
【図５】
2017092883.tif 000007
【図６】
2017092883.tif 000008